(57)【要約】【課題】  浴槽フロア上への浴槽の設置や取り出しが容易になり、作業者の負担を軽減することのできる浴槽の設置構造を提供すること。【解決手段】  浴槽フロア２１の上面に、浴槽フロア２１の一方から他方に向けて下り傾斜になった傾斜ガイド部２４ａ，２４ｂを設けた。そして、浴槽２２の底面における浴槽フロア２１の他方側に配置される部分に被ガイド脚部２６を設けて、浴槽２２を浴槽フロア２１上に設置したり、取り外したりする際に、被ガイド脚部２６を傾斜ガイド部２４ａ，２４ｂに沿って滑らせながら浴槽２２を移動できるようにした。また、浴槽２２の底面における浴槽フロア２１の一方側に配置される部分に、被ガイド脚部２６よりも低い低脚部２７を設けて、低脚部２７を傾斜ガイド部２４ａ，２４ｂ上に位置決めした。また、浴槽フロア２１の一方に、床面が浴槽フロア２１よりも高い洗い場フロア１１を接続した。【選択図】  図１
2006068434.tif 000002
【特許請求の範囲】
【請求項１】
浴槽フロア上に浴槽を設置するための浴槽の設置構造であって、前記浴槽フロアの床面に、前記浴槽フロアの一方の縁部から他方の縁部側に向けて下り傾斜になった傾斜ガイド部を設けるとともに、前記浴槽の底面における前記浴槽フロアの他方の縁部側に配置される部分に被ガイド脚部を設け、前記浴槽を前記浴槽フロア上に設置したり、前記浴槽を前記浴槽フロアから取り出したりする際に、前記被ガイド脚部を前記傾斜ガイド部にガイドさせながら前記浴槽を移動させることができること特徴とする浴槽の設置構造。
【請求項２】
前記浴槽フロアの周縁部に周壁部を形成した請求項１に記載の浴槽の設置構造。
【請求項３】
前記浴槽の底面における前記浴槽フロアの一方の縁部側に配置される部分に、前記被ガイド脚部よりも高さが低い低脚部を設け、前記低脚部を前記傾斜ガイド部の上面に位置決めすることにより前記浴槽を水平に設置した請求項１または２に記載の浴槽の設置構造。
【請求項４】
前記傾斜ガイド部を、前記浴槽を前記浴槽フロア上に設置する際に前記被ガイド脚部が通過する部分に設け、前記浴槽の底面における前記浴槽フロアの一方の縁部側に配置される部分のうちの前記傾斜ガイド部に対応しない部分に、前記被ガイド脚部と高さが等しい支持脚部を設けた請求項１または２に記載の浴槽の設置構造。
【発明の詳細な説明】
【技術分野】
【０００１】
本発明は、浴槽フロア上に浴槽を設置するための浴槽の設置構造に関する。
【背景技術】
【０００２】
従来から、浴室ユニット等においては、周縁部に高さの低い周壁部が形成された防水パンからなる浴槽フロアの上面に浴槽が設置され、浴槽フロアの手前側（出入口側）に洗い場フロアが設けられている。このような浴室ユニットでは、浴槽の長手方向の長さを長くするために、浴槽の長さを室内寸法（両壁面部間の長さ）と略等しく設定している。このため、浴槽の両側部分にはスペースがなくなり、浴槽を浴槽フロア上に設置する際には、作業者の作業位置が洗い場フロアの床面に限られる。
【０００３】
この場合、作業者は、バンド等を浴槽の両側部分にそれぞれ巻き付けて、洗い場フロア側からこのバンド等を持って浴槽を持ち上げ浴槽フロア上に設置している。このため、作業者は無理な姿勢を強いられ、浴槽の設置が面倒であるとともに、体に大きな負担がかかるという問題があった。また、一人の作業者で設置作業ができない場合には、二人の作業者が必要になるという問題もある。
【０００４】
さらに、交換や点検のために浴槽を浴槽フロアから取り出す際には、場所が狭いため浴槽にバンド等を巻き付ける作業が難しいという問題や、バンド等を持って浴槽を持ち上げる作業がさらに負担になるという問題がある。このため、周縁部に周壁部が形成されてなく、床面に凸状の複数の浴槽置き部だけが形成された防水床もある（例えば、特許文献１参照）。
【特許文献１】特開２００３−２９００６６号公報
【発明の開示】
【０００５】
しかしながら、前述した防水床では、浴槽フロアの周縁部に形成された周壁部を越えて浴槽を持ち上げる必要はなくなるが、狭い場所で、バンド等を持って浴槽置き部の上に浴槽を設置しなければならないことは同じである。このため、作業者にかかる負担が大きく軽減されることはない。
【０００６】
本発明は、前述した問題に対処するためになされたもので、その目的は、浴槽フロア上への浴槽の設置や取り出しが容易になり、作業者の負担を軽減することのできる浴槽の設置構造を提供することである。
【０００７】
前述した目的を達成するため、本発明にかかる浴槽の設置構造の構成上の特徴は、浴槽フロア上に浴槽を設置するための浴槽の設置構造であって、浴槽フロアの床面に、浴槽フロアの一方の縁部から他方の縁部側に向けて下り傾斜になった傾斜ガイド部を設けるとともに、浴槽の底面における浴槽フロアの他方の縁部側に配置される部分に被ガイド脚部を設け、浴槽を浴槽フロア上に設置したり、浴槽を浴槽フロアから取り出したりする際に、被ガイド脚部を傾斜ガイド部にガイドさせながら浴槽を移動させることができることにある。
【０００８】
前述したように構成した本発明にかかる浴槽の設置構造では、浴槽を浴槽フロアに設置する際に、浴槽の被ガイド脚部を傾斜ガイド部の上面に載せて、浴槽フロアの一方の縁部側から他方の縁部側に滑らせる等してガイドさせながら、浴槽を浴槽フロア上の所定の位置に設置できる。このため、作業者は、従来のように、浴槽にバンド等を巻き付けて無理な姿勢で浴槽を持ち上げるといった作業をすることなく簡単に浴槽の設置ができる。また、交換や点検のために浴槽を浴槽フロアから取り出す際には、浴槽を手前側に引っ張ることにより浴槽フロアから引き出すことができるため、取り出しのための作業も容易になる。
【０００９】
このため、浴槽の設置や取り出しの作業を一人の作業者でもできるようになる。この場合、傾斜ガイド部は、浴槽フロアの一方の縁部から他方の縁部にかけて設けてもよいし、浴槽フロアの一方の縁部から一方の縁部と他方の縁部との間における所定の部分までの間に設けてもよい。また、傾斜ガイド部は、浴槽フロアの一方の縁部の幅方向の全体にわたって設けてもよいし、浴槽を浴槽フロアに設置する際に被ガイド脚部が通過する部分だけに設けてもよい。
【００１０】
本発明にかかる浴槽の設置構造の他の構成上の特徴は、浴槽フロアの周縁部に周壁部を形成したことにある。これによると、浴槽フロアの周囲は周壁部に囲まれているため、浴槽を設置する際に、作業者は、周壁部を乗り越えて浴槽を浴槽フロア上に設置しなければならないが、本発明に係る浴槽の設置構造では、このような場合でも設置作業を容易に行える。この場合、傾斜ガイド部は、周壁部に連続させて形成してもよいし、周壁部との間に隙間を設けた状態で形成してもよい。
【００１１】
本発明にかかる浴槽の設置構造のさらに他の構成上の特徴は、浴槽の底面における浴槽フロアの一方の縁部側に配置される部分に、被ガイド脚部よりも高さが低い低脚部を設け、低脚部を傾斜ガイド部の上面に位置決めすることにより浴槽を水平に設置したことにある。
【００１２】
この浴槽の設置構造では、浴槽の底面における浴槽フロアの他方の縁部側に配置される部分に通常の高さを備えた被ガイド脚部を設け、浴槽の底面における浴槽フロアの一方の縁部側に配置される部分に、傾斜ガイド部の傾斜によって生じる高低差分だけ被ガイド脚部よりも高さの低い低脚部を設けている。したがって、浴槽フロアの床面に傾斜ガイド部を設けても浴槽を水平状態で設置することができる。この場合、傾斜ガイド部は、浴槽フロアの床面における被ガイド脚部と低脚部とに対応する部分だけに設けてもよいし、浴槽フロアの床面における略全体（排水口等を設置した部分は除く。）に設けてもよい。
【００１３】
本発明にかかる浴槽の設置構造のさらに他の構成上の特徴は、傾斜ガイド部を、浴槽を浴槽フロア上に設置する際に被ガイド脚部が通過する部分に設け、浴槽の底面における浴槽フロアの一方の縁部側に配置される部分のうちの傾斜ガイド部に対応しない部分に、被ガイド脚部と高さが等しい支持脚部を設けたことにある。
【００１４】
この浴槽の設置構造によると、浴槽の両縁部側部分が高さの等しい被ガイド脚部と支持脚部とで支持されるため、浴槽は安定した状態で水平に設置される。また、傾斜ガイド部は、浴槽を浴槽フロア上に設置する際に被ガイド脚部が通過する部分だけに設けてもよいし、支持脚部が通過したり設置されたりする部分だけを除いて設けてもよい。また、この場合の被ガイド脚部と支持脚部との長さは略等しくなっていればよく、調節可能な範囲で異なっていてもよい。
【００１５】
また、本発明にかかる浴槽の設置構造は、浴槽フロアの周囲における一方の縁部側以外の部分に壁面部が形成されている場合により大きな効果を奏し得る。このような場合には、浴槽の手前側部分以外は壁面部に囲まれて、浴槽を設置する際に、作業者が設置作業を行うための場所が狭くなる。このため、本発明に係る浴槽の設置構造を用いた場合、従来の設置構造と比較してより大きな効果を得ることができる。
【発明を実施するための最良の形態】
【００１６】
（第１実施形態）
以下、本発明の第１実施形態を図面を用いて説明する。図１は、本発明に係る浴槽の設置構造２０を備えた浴室ユニット１０を示しており、この浴室ユニット１０は、図２に示した洗い場フロア１１と浴槽フロア２１とからなる浴室用フロアＦを備えている。この浴室用フロアＦは、建物の躯体を構成する床面部１２の上面に設置されており、周縁部に壁パネル１３ａ，１３ｂ，１３ｃ，１３ｄ等およびドア（図１における手前側に位置する壁パネルおよびドアは図示せず。）が起立状態で設置されている。そして、壁パネル１３ａ等の上端には、天井パネル（図示せず）が掛け渡されて固定されている。
【００１７】
洗い場フロア１１は、洗い場の床面を構成するとともにカウンター１４を設置するためのフロアであり、樹脂材料を一体成形して構成されている。この洗い場フロア１１は、周縁部に、高さの低い周壁部１１ａが形成された浅い防水パンで構成されている。そして、洗い場フロア１１の上面における壁パネル１３ｃ側部分に、カウンター１４を設置するための台部１５が形成され、台部１５に給水管等の配管を通すための穴部１６が３個形成されている。
【００１８】
また、洗い場フロア１１の底部における浴槽フロア２１側部分の縁部に沿った方向の略中央には排水口（図示せず）が設けられ、その排水口の上方に排水口用蓋１７が着脱可能な状態で設置されている。この洗い場フロア１１の床面には、周壁部１１ａ側が高く、排水口用蓋１７側が低くなった水勾配が形成されている。そして、洗い場フロア１１の外部側底面の各角部近傍等の所定部分には、洗い場フロア１１を支持するとともに、洗い場フロア１１の高さ調整を行うための支脚１８が設けられている。
【００１９】
浴槽フロア２１は、浴槽２２を設置するためのフロアであり、樹脂材料を一体成形して構成されている。また、この浴槽フロア２１は、周縁部に略垂直方向に高く設定（洗い場フロア１１の周壁部１１ａと比較して高くなっている。）された周壁部２１ａが形成された深い防水パンで構成されており、周壁部２１ａにおける洗い場フロア１１に沿った部分は、洗い場フロア１１の周壁部１１ａの対応する部分に接続されている。
【００２０】
また、浴槽フロア２１の底部における洗い場フロア１１側の縁部に沿った方向の略中央には排水口２３が形成されている。そして、周壁部２１ａのうちの洗い場フロア１１側の部分から、浴槽フロア２１の中央側（周壁部２１ａにおける洗い場フロア１１側部分と対向する部分側）に向って２個の傾斜ガイド部２４ａ，２４ｂが、排水口２３を挟んだ状態で間隔を保って形成されている。
【００２１】
この傾斜ガイド部２４ａ，２４ｂは、洗い場フロア１１側部分が高く、洗い場フロア１１から遠ざかるにしたがって低くなるように形成され、平面視が長方形になっている。また、浴槽フロア２１の外部側底面の各角部近傍には、浴槽フロア２１および浴槽２２を支持するとともに、浴槽フロア２１の高さ調整を行うための支脚２５がそれぞれ設けられている。また、浴槽フロア２１の排水口２３と、洗い場フロア１１の排水口とは、浴室用フロアＦの下方に設置された排水管（図示せず）に接続されている。
【００２２】
浴槽２２は、樹脂材料を一体成形して形成されており、図３に示したように、上面が開口した四角容器状の本体部２２ａと、本体部２２ａの上端縁部に形成された周縁部２２ｂとで構成されている。そして、浴槽２２の底面における壁パネル１３ａ側に位置する部分の両側に被ガイド脚部２６がそれぞれ設けられ、浴槽２２の底面における洗い場フロア１１側に位置する部分の両側に、被ガイド脚部２６よりも高さ方向の長さが短い低脚部２７がそれぞれ設けられている。浴槽２２が浴槽フロア２１上に設置されたときに、被ガイド脚部２６は、図２に二点鎖線の丸印Ａで示した部分に位置し、低脚部２７は、二点鎖線の丸印Ｂで示した部分に位置する。
【００２３】
低脚部２７は、傾斜ガイド部２４ａ，２４ｂ上に設置されるため、その設置位置が浴槽フロア２１の床面よりも高くなっており、その高くなった分だけ被ガイド脚部２６よりも短く設定されている。また、低脚部２７の底面は、傾斜ガイド部２４ａ，２４ｂの上面の傾斜に沿った傾斜面に形成されている。このため、浴槽２２は浴槽フロア２１の床面に沿って水平状態に設置される。また、周壁部１１ａと周壁部２１ａとの接続部と、浴槽２２の周縁部２２ｂの下面との間には、エプロン２８が取り付けられる。また、この浴室ユニット１０には、排水管の外、給水管、サウナ装置等の種々の機器（図示せず）が備わっている。
【００２４】
この構成において、浴槽２２を浴槽フロア２１上に設置する場合には、まず、浴室ユニット１０内における洗い場フロア１１の床面に浴槽２２を運搬する。ついで、浴槽２２の向きを設置位置に合わせて浴槽２２を浴槽フロア２１側に移動させる。つぎに、浴槽２２の被ガイド脚部２６側部分を持ち上げて、傾斜ガイド部２４ａ，２４ｂの洗い場フロア１１側の部分に被ガイド脚部２６を載せる。そして、浴槽２２の低脚部２７側部分を持ち上げて、図４に示した状態にしたのちに、浴槽２２を壁パネル１３ａ側に押す。
【００２５】
これによって、被ガイド脚部２６が傾斜ガイド部２４ａ，２４ｂの上面を滑りながら移動して、浴槽２２は所定の位置に設置される。この場合、浴槽２２が壁パネル１３ａに接近するにしたがって、浴槽２２を傾斜した状態から徐々に水平状態になるようにする。これによって、浴槽２２を壁パネル１３ａに衝突させることなく適正位置に設置することができる。浴槽２２の設置が終了すると、周壁部１１ａと周壁部２１ａとの接続部と、浴槽２２の周縁部２２ｂの下面との間に、エプロン２８を取り付ける。
【００２６】
このように、本実施形態に係る浴槽の設置構造２０では、浴槽フロア２１に傾斜ガイド部２４ａ，２４ｂを設け、浴槽２２の底面には、浴槽フロア２１の床面に設置される高い２個の被ガイド脚部２６と、傾斜ガイド部２４ａ，２４ｂ上に設置される低い２個の低脚部２７とを設けている。したがって、浴槽２２を浴槽フロア２１に設置する際には、被ガイド脚部２６を傾斜ガイド部２４ａ，２４ｂ上に載せて、浴槽２２を押すだけの操作で、浴槽２２を浴槽フロア２１上の所定の位置に設置することができる。
【００２７】
このため、浴槽２２の設置作業が極めて簡単になり、作業者の負担が大幅に軽減される。また、交換や点検のために浴槽２２を浴槽フロア２１から取り出す際には、浴槽２２を洗い場フロア１１側に引っ張って移動させるだけの操作で済むため、同様に、取り出し作業が容易になる。また、前述した浴槽の設置構造２０では、洗い場フロア１１の床面を浴槽フロア２１の床面よりも高くしているため、浴槽２２を浴槽フロア２１に設置したり、浴槽フロア２１から取り出したりする際に、浴槽２２を持ち上げることが殆どなくなる。このため、浴槽２２の設置や取り外しの作業がさらに容易になり、一人の作業者でも作業を行うことが可能となる。
【００２８】
（第２実施形態）
図５は、本発明の第２実施形態に係る浴槽の設置構造３０を備えた浴室ユニット１０ａを示している。この浴室ユニット１０ａは、前述した浴室ユニット１０と略同様の構成からなっているが、この浴室ユニット１０ａが備える浴槽の設置構造３０では、浴槽３２に低脚部２７が設けられてなく、低脚部２７に代えて、被ガイド脚部３６と同じ高さの支持脚部３７が設けられている。
【００２９】
また、支持脚部３７は、図６に示したように、浴槽３２の底面における両端側部分に設けられている。このため、浴槽３２を浴槽フロア３１上に設置したときに、支持脚部３７は、傾斜ガイド部３４上でなく浴槽フロア３１の床面に設置される。この浴槽の設置構造３０を備えた浴室ユニット１０ａのそれ以外の部分の構成については、前述した浴室ユニット１０と同一である。したがって、同一部分に同一符号を記して説明は省略する。
【００３０】
このように構成された浴槽の設置構造３０によると、浴槽３２の両側部分を支持する被ガイド脚部３６と支持脚部３７とが同じ高さに設定されているため、浴槽３２が安定した状態で水平に設置される。また、この場合も、浴槽３２の設置や取り出しの作業は、前述した浴槽２２の場合と同様にして行うことができる。この浴槽の設置構造３０のそれ以外の作用効果については、前述した浴槽の設置構造２０と同様である。
【００３１】
（第３実施形態）
図７は、本発明の第３実施形態に係る浴槽の設置構造が備える浴槽４２を示している。この浴槽４２の底面には、被ガイド脚部３６と同形の一対の被ガイド脚部４６および支持脚部３７と同形の一対の支持脚部４７が設けられており、その配置は図７に示したようになっている。すなわち、この浴槽４２は、図６に示した浴槽３２における被ガイド脚部３６と支持脚部３７の浴槽４２の長手方向に沿った方向の取り付け位置を入れ替えた構成になっている。
【００３２】
このため、この浴槽４２が設置される浴槽フロア（図示せず）の傾斜ガイド部は、被ガイド脚部４６の位置に合わせて、浴槽フロアの床面の両端側部分に形成される。この浴槽４２を備えた浴槽の設置構造のそれ以外の部分の構成については、前述した浴槽の設置構造３０と同一である。したがって、同一部分に同一符号を記している。また、この浴槽４２を備えた浴槽の設置構造の作用効果についても、前述した浴槽の設置構造３０と同様である。
【００３３】
（第４実施形態）
図８は、本発明の第４実施形態に係る浴槽の設置構造が備える浴槽５２を示している。この浴槽５２の底面には、被ガイド脚部３６と同形の一対の被ガイド脚部５６および支持脚部３７と同形の一対の支持脚部５７が設けられており、その配置は図８に示したようになっている。すなわち、この浴槽５２では、被ガイド脚部５６と支持脚部５７とが、浴槽５２の長手方向に沿った方向に、交互に位置するように配置されている。
【００３４】
このため、この浴槽５２が設置される浴槽フロア（図示せず）の傾斜ガイド部は、２個の被ガイド脚部５６の位置に合わせて、浴槽フロアの床面の一方の側部に沿った部分と、他方の側部から所定間隔を保った部分とに形成される。この浴槽５２を備えた浴槽の設置構造のそれ以外の部分の構成については、前述した浴槽の設置構造３０と同一である。したがって、同一部分に同一符号を記している。また、この浴槽５２を備えた浴槽の設置構造の作用効果についても、前述した浴槽の設置構造３０と同様である。
【００３５】
また、本発明に係る浴槽の設置構造は、前述した各実施形態に限定するものでなく、適宜、変更実施が可能である。例えば、前述した各実施形態では、傾斜ガイド部２４ａ，２４ｂ等をそれぞれ２個で構成しているが、この傾斜ガイド部は、洗い場フロア１１と浴槽フロア２１との接続部全体に沿って設けてもよい。この場合、排水口２３は、浴槽フロア２１における壁パネル１３ａ側部分に設ける。また、低脚部２７と支持脚部３７等は適宜選択して使用することができ、双方を用いてもよい。また、浴槽２２等の底面に設ける低脚部２７や支持脚部３７等に応じて、傾斜ガイド部２４ａ，２４ｂ等の大きさや設置位置も適宜変更することができる。
【図面の簡単な説明】
【００３６】
【図１】本発明の第１実施形態に係る浴槽の設置構造を備えた浴室ユニットを示した縦断面図である。
【図２】図１に示した浴室ユニットが備える浴室用フロアを示した斜視図である。
【図３】浴槽を示した斜視図である。
【図４】浴槽を浴槽フロアに設置する状態を示した断面図である。
【図５】本発明の第２実施形態に係る浴槽の設置構造を備えた浴室ユニットを示した縦断面図である。
【図６】図５に示した浴室ユニットが備える浴槽を示した平面図である。
【図７】本発明の第３実施形態に係る浴槽の設置構造が備える浴槽を示した平面図である。
【図８】本発明の第４実施形態に係る浴槽の設置構造が備える浴槽を示した平面図である。
【符号の説明】
【００３７】
１１…洗い場フロア、１３ａ，１３ｂ，１３ｃ，１３ｄ…壁パネル、２０，３０…浴室の設置構造、２１，３１…浴槽フロア、２１ａ…周壁部、２２，３２，４２，５２…浴槽、２４ａ，２４ｂ，３４…傾斜ガイド部、２６，３６，４６，５６…被ガイド脚部、２７…低脚部、３７，４７，５７…支持脚部。
【図１】
2006068434.tif 000003
【図２】
2006068434.tif 000004
【図３】
2006068434.tif 000005
【図４】
2006068434.tif 000006
【図５】
2006068434.tif 000007
【図６】
2006068434.tif 000008
【図７】
2006068434.tif 000009
【図８】
2006068434.tif 000010